(57)【要約】【課題】溝付板材の溝内面の塗装に当たって、溝の外側に塗布液をはみ出させることなく溝内に安定して塗布液を供給可能な、簡単な構造の溝塗装装置を提供する。【解決手段】塗布液１３を連続的に吐出するディスペンサノズル８を溝付板材１の溝４に対して相対的に移動させながら該溝内に塗布液１３を供給するに当たって、ディスペンサノズル８に、その先端を経て溝４内に挿入されるようにピアノ線等で構成される補助ガイド９を取り付けておき、ディスペンサノズルから吐出された塗布液を補助ガイド９を伝って溝４内に送り込む構成とする。【選択図】図４
2008284495.tif 000002
【特許請求の範囲】
【請求項１】
表面に溝を備えた溝付板材の前記溝を塗装する装置であって、塗布液を連続的に吐出して前記溝内に供給するディスペンサノズルと、該ディスペンサノズルに、該ディスペンサノズルの先端を経て前記溝内に挿入されるように取り付けられ、前記ディスペンサノズルから吐出された塗布液を前記溝内に案内する補助ガイドと、前記ディスペンサノズルを前記板材の溝に対して相対的に移動させる手段を備えた溝付板材の溝塗装装置。
【請求項２】
前記補助ガイドが、線材で構成されていることを特徴とする請求項１記載の溝付板材の溝塗装装置。
【請求項３】
前記補助ガイドが、樋状材で構成されていることを特徴とする請求項１記載の溝付板材の溝塗装装置。
【発明の詳細な説明】
【技術分野】
【０００１】
本発明は、床材などに用いられる板材の表面に設けられている溝を塗装する装置に関する。
【背景技術】
【０００２】
従来より、床材や壁材などとして、合板表面に化粧材を積層した板材が用いられており、また、その板材に木板を並べたような外観を付与するため、表面に溝加工を施した溝付板材も用いられている。この溝付板材では、通常、溝加工後にその溝に塗装を行っている。溝の塗装方法としては、溝付板材を連続的に走行させ、溝付板材上面の溝に対向して配置したディスペンサノズルから溝内に過剰な塗布液を供給し、その後、余剰塗布液を吸引ノズルユニットによって吸引除去する方法（例えば、特開平３−１３７９６８号公報参照）が知られている。
【０００３】
しかしながら、板材表面に形成している溝は通常、１．５〜３ｍｍ程度ときわめて小さいため、ディスペンサノズルから塗布液を吐出して溝内に供給する際、走行中の溝付板材の溝がディスペンサノズルの吐出口に対してわずかに横方向にずれただけで塗布液が溝の外側にはみ出してしまい、見栄えを悪くすることがあった。これを防ぐには、溝付板材の溝をディスペンサノズルの吐出口に対して正確に位置決めして走行させる必要があるが、溝付板材に対する溝の形成位置自体に或る程度の誤差が生じているため、溝位置をディスペンサノズルの吐出口に対して正確に位置決めして走行させることはきわめて困難であった。また、ディスペンサノズルからの塗布液供給中において、吐出された塗布液が揺れることがあり、この揺れによっても塗布液が溝の外側にはみ出してしまい、見栄えを悪くすることがあった。
【０００４】
【特許文献１】特開平３−１３７９６８号公報
【発明の開示】
【発明が解決しようとする課題】
【０００５】
本発明はかかる問題点に鑑みてなされたもので、ディスペンサノズルから吐出する塗布液を、溝付板材の溝の外側にはみ出させることなく溝内に良好に供給して溝内面を塗装することの可能な、構造の簡単な溝付板材の溝塗装装置を提供することを課題とする。
【課題を解決するための手段】
【０００６】
本発明は、溝付板材の溝に対してディスペンサノズルから塗布液を吐出して供給する際における上記問題点を解決するため、そのディスペンサノズルに、該ディスペンサノズルの先端を経て前記溝内に挿入されるように取り付けられ、前記ディスペンサノズルから吐出された塗布液を前記溝内に案内する補助ガイドを設けるという構成としたものである。
【０００７】
ここで、前記補助ガイドとしては、線材或いは樋状材を用いることが好ましい。
【発明の効果】
【０００８】
本発明によれば、ディスペンサノズルを溝付板材の溝に対して相対的に移動させながらディスペンサノズルから塗布液を吐出して溝内に供給するに当たって、吐出された塗布液が、溝内に挿入されている補助ガイドを伝って溝内に流入するため、塗布液の流れが常に安定しており、且つディスペンサノズルに対して溝付板材の溝が横方向に多少ずれても、塗布液は補助ガイドを伝って安定して溝内に供給されることとなり、塗布液を溝の外にはみ出させることなく良好に溝内に供給して、溝内面を見栄えよく塗装できる。
【発明を実施するための最良の形態】
【０００９】
以下、図面に示す本発明の好適な実施の形態を説明する。図１は本発明の溝塗装装置で塗装の対象とする溝付板材の１例を示す概略斜視図、図２はその溝付板材の溝形成領域を拡大して示す概略断面図である。全体を参照符号１で示す溝付板材は、合板２の表面に化粧材３を積層した構造を有しており、その表面に、溝付板材１の長手方向に溝４を形成している。溝４の断面形状は、Ｖ字状、Ｕ字状等任意であり、この実施の形態ではＶ字状のものを示している。また、溝４のエッジは、図示したもののように角のままとしたものに限らず、丸みを付けたものとしてもよい。
【００１０】
図３は本発明の好適な実施の形態に係る溝塗装装置の１例を示す概略側面図、図４はその一部を拡大して示す概略側面図であり、溝付板材１は断面で示している。図５（ａ）、（ｂ）、（ｃ）、（ｄ）は溝塗装装置によって溝の内面に塗装を施す状態を示す概略断面図である。全体を参照符号６で示す溝塗装装置は、溝付板材１を長手方向に、すなわち溝４に平行方向に搬送する搬送手段７と、搬送中の溝付板材１の表面の溝４に対向する位置に配置され、塗布液１３を連続的に吐出して走行中の溝付板材１の溝４内に供給するディスペンサノズル８と、該ディスペンサノズル８に塗布液を供給する供給タンク及びポンプ等を備えた塗布液供給装置（図示せず）と、ディスペンサノズル８に、該ディスペンサノズルの先端を経て前記溝内に挿入されるように取り付けられ、ディスペンサノズル８から吐出された塗布液１３を溝４内に案内する補助ガイド９と、溝付板材１の走行方向に関してディスペンサノズル８の下流に溝４に対向して配置され、溝４内に供給された塗布液１３を溝内面に押し拡げるスキージ１０等を備えている。ディスペンサノズル８に取り付けている補助ガイド９は、先端を溝４内に挿入可能で且つディスペンサノズル８から吐出された塗布液１３を溝４内に案内することができるものであれば、その構成は任意であり、この実施の形態ではピアノ線等の弾性変形可能な線材が用いられている。
【００１１】
次に、上記構成の溝塗装装置６による塗装動作を説明する。溝付板材１が搬送手段７によって、連続的に搬送されてくると、走行中の溝付板材１の溝４内に補助ガイド９の先端が入り、その状態で溝付板材１が走行を続け、その間に、図４、図５（ａ）に示すように、ディスペンサノズル８が塗布液１３を連続的に吐出し、その塗布液１３が案内ガイド９で案内されて溝４内に供給される。この塗布液供給の間において、定位置に取り付けられているディスペンサノズル８に対して溝付板材１の溝４の位置が横方向にずれることがあるが、補助ガイド９は溝４内に挿入された状態で溝４内を滑って行き、このため、塗布液１３は溝４の外側にはみ出すことなく、溝４内に良好に供給される。かくして、溝付板材１の溝４をディスペンサノズル８に対して高精度に位置決めして走行させなくても、溝４内に塗布液を供給できる。ここで、この実施の形態に示すように補助ガイド９を弾性変形可能な材料で構成しておくと、ディスペンサノズル８と溝４の位置のずれが或る程度大きくなっても、補助ガイド９自身が変形して無理なく溝４内を滑って行くことができ、塗布液を安定して溝４内に供給できるという利点が得られる。
【００１２】
ディスペンサノズル８が溝４内に塗布液１３を供給した後、図４、図５（ｂ）に示すように、その塗布液１３をスキージ１０が溝内面全域に押し拡げる。これにより、図４、図５（ｃ）に示すように溝４のエッジに到るまで、溝内面全域に塗布液１３が塗布されることとなる。その後、溝４の内面に押し拡げられた塗布液１３が乾燥される。これにより、図５（ｄ）に示すように、溝４の内面全域に塗膜１５が形成される。以上により、溝４の内面が全長に渡って見栄えよく塗装される。
【００１３】
なお、上記した実施の形態では、補助ガイド９として線材を用いているが、補助ガイドは線材に限らず、図６、図７に示すように、Ｖ字状或いはＵ字状などの樋状材で構成された補助ガイド９Ａを用いてもよい。この場合においても、補助ガイド９Ａを弾性変形可能としておくことが、補助ガイド９Ａが溝４の位置の変化に追従して変形し、無理なく溝４内を滑って塗布液を溝４内に安定して供給できるので好ましい。
【００１４】
更に、上記した実施の形態では、棒状のスキージ１０を用いて、溝４内の塗布液１３を溝内面に押し広げているが、ここで用いるスキージ１０の形状は図示のものに限らず、適宜変更可能である。また、ディスペンサノズル８から溝４内に供給する塗布液量を多くして、溝内面全域に塗布液を塗り、必要に応じ過剰な塗布液を吸引除去する構成とすることで、スキージを省略してもよい。更に、上記した実施の形態では、ディスペンサノズル８を定位置に配置し、溝付板材１を走行させることでディスペンサノズル８を溝４に対して相対的に移動させる構成としているが、本発明はこの構成に限らず、溝付板材１を定位置に保持し、ディスペンサノズル８を（スキージ１０を用いる場合には、そのスキージ１０と一緒に）溝４に沿って移動させる構成としてもよい。
【００１５】
なお、上記の実施の形態では、塗装対象の溝付板材１として、図１に示すように、長手方向に延びる溝４のみを備えたものを示しているが、本発明はこの構成の溝付板材１に限らず、図８に示すように、横方向に延びる溝４Ａを備えた溝付板材１Ａの溝４Ａに対しても適用可能である。なお、溝４Ａの塗装に当たっては、溝付板材１Ａを停止させておき、ディスペンサノズル８及びスキージ１０を溝４Ａに沿って移動させて塗布液の供給及び押し拡げを行う構成とすることが、短い溝４Ａに対して効率良く塗装できるので、好ましい。
【００１６】
以上に本発明の好適な実施の形態を説明したが、本発明はこれらの実施の形態に限定されるものではなく、特許請求の範囲の記載範囲内で適宜変更可能であることは言うまでもない。
【図面の簡単な説明】
【００１７】
【図１】本発明で塗装の対象とする溝付板材の１例を示す概略斜視図
【図２】図１に示す溝付板材の溝形成領域を拡大して示す概略断面図
【図３】本発明の好適な実施の形態に係る溝塗装装置の１例を示す概略側面図
【図４】図３に示す溝塗装装置の一部を拡大して示す概略側面図
【図５】（ａ）、（ｂ）、（ｃ）、（ｄ）は溝の内面に塗装を施す状態を示す概略断面図
【図６】本発明の他の実施の形態に係る溝塗装装置の主要部分の概略側面図
【図７】図６に示す実施の形態に用いている補助ガイドとディスペンサノズルの一部を示す概略斜視図
【図８】溝付板材の他の例を示す概略斜視図
【符号の説明】
【００１８】
１、１Ａ  溝付板材
２  合板
３  化粧材
４、４Ａ  溝
６  溝塗装装置
７  搬送手段
８  ディスペンサノズル
９、９Ａ  補助ガイド
１０  スキージ
１３  塗布液
１５  塗膜
【図１】
2008284495.tif 000003
【図２】
2008284495.tif 000004
【図３】
2008284495.tif 000005
【図４】
2008284495.tif 000006
【図５】
2008284495.tif 000007
【図６】
2008284495.tif 000008
【図７】
2008284495.tif 000009
【図８】
2008284495.tif 000010